(57)【要約】【課題】  間違って同じ頁がコピーされるのを防止できる画像処理装置を提供する。【解決手段】  本のような頁番号が通して付された複数枚の原稿の画像を処理する画像処理装置３１であって、スタートキー及びテンキーを含む操作手段３３と、テンキーにより入力された最初に読み取るべき原稿に付された頁番号を基にして、スタートキーが操作される毎に頁番号を次に読み取るべき原稿の頁番号に更新する更新手段３５と、スタートキーが操作される毎に原稿台にセットされた原稿を読み取ってその原稿の画像データを生成する画像読取手段３７と、更新手段３５で更新された頁番号を表示する表示手段３９と、を備える。【選択図】  図５
2007088742.tif 000002
【特許請求の範囲】
【請求項１】
頁番号が通して付された複数枚の原稿の画像を処理する画像処理装置であって、
スタートキー及びテンキーを含む操作手段と、
前記テンキーにより入力された最初に読み取るべき原稿に付された頁番号を基にして、前記スタートキーが操作される毎に頁番号を次に読み取るべき原稿の頁番号に更新する更新手段と、
前記スタートキーが操作される毎に原稿台にセットされた原稿を読み取ってその原稿の画像データを生成する画像読取手段と、
前記更新手段で更新された頁番号を表示する表示手段と、を備える
ことを特徴とする画像処理装置。
【請求項２】
前記原稿は本の頁である
ことを特徴とする請求項１に記載の画像処理装置。
【請求項３】
本の頁の画像を処理する画像処理装置であって、
スタートキー及びテンキーを含む操作手段と、
前記テンキーにより入力された最初に読み取るべき頁に付された頁番号及びその頁が前記本の見開きのいずれの側か前記操作手段を用いた指示を基にして、前記スタートキーが操作される毎に見開きの両方の頁番号を次に読み取るべき見開きの両方の頁番号に更新する更新手段と、
前記スタートキーが操作される毎に原稿台にセットされた見開きを読み取ってその見開きの画像データを生成する画像読取手段と、
前記更新手段で更新された両方の頁番号を表示する表示手段と、を備える
ことを特徴とする画像処理装置。
【発明の詳細な説明】
【技術分野】
【０００１】
本発明は、例えば、コピー機やスキャナに適用される画像処理装置に関する。
【背景技術】
【０００２】
従来のコピー機には、コピーの前に原稿の総数を原稿自動送り装置を利用してカウントし、原稿のコピーの実行中に、コピーした原稿の枚数を原稿の総数と共に表示する機能を有するものがある（例えば、特許文献１参照）。これによれば、ユーザはコピーの進行状況について把握できるので、多くの原稿をコピーする場合に便利である。
【特許文献１】特開２０００−１２２４８２号公報
【発明の開示】
【発明が解決しようとする課題】
【０００３】
しかし、原稿が本の頁の場合、原稿自動送り装置が使えず、上記機能を利用することができない。ところで、本を頁毎にコピーしていると、単純な動作の繰り返しなので、途中でどの頁までコピーしたか分からなくなり、間違って同じ頁をコピーすることがある。
【０００４】
本発明の目的は、間違って同じ原稿が読み取られるのを防止できる画像処理装置を提供することである。
【課題を解決するための手段】
【０００５】
本発明の一態様に係る画像処理装置は、頁番号が通して付された複数枚の原稿の画像を処理する画像処理装置であって、スタートキー及びテンキーを含む操作手段と、前記テンキーにより入力された最初に読み取るべき原稿に付された頁番号を基にして、前記スタートキーが操作される毎に頁番号を次に読み取るべき原稿の頁番号に更新する更新手段と、前記スタートキーが操作される毎に原稿台にセットされた原稿を読み取ってその原稿の画像データを生成する画像読取手段と、前記更新手段で更新された頁番号を表示する表示手段と、を備える。
【０００６】
本発明の一態様に係る画像処理装置において、前記原稿は例えば本の頁である。
【０００７】
本発明の他の態様に係る画像処理装置は、本の頁の画像を処理する画像処理装置であって、スタートキー及びテンキーを含む操作手段と、前記テンキーにより入力された最初に読み取るべき頁に付された頁番号及びその頁が前記本の見開きのいずれの側か前記操作手段を用いた指示を基にして、前記スタートキーが操作される毎に見開きの両方の頁番号を次に読み取るべき見開きの両方の頁番号に更新する更新手段と、前記スタートキーが操作される毎に原稿台にセットされた見開きを読み取ってその見開きの画像データを生成する画像読取手段と、前記更新手段で更新された両方の頁番号を表示する表示手段と、を備える。
【発明の効果】
【０００８】
本発明の一態様に係る画像処理装置によれば、頁番号が通して付された複数枚の原稿を読み取る際に、最初に読み取るべき原稿に付された頁番号を入力させ、これを基にしてスタートキーが操作される毎に頁番号を次に読み取るべき原稿の頁番号に更新し、更新した頁番号を表示する。よって、間違って同じ原稿が読み取られるのを防止することができる。これにより、本発明に係る画像処理装置をコピー機に備えれば、間違って同じ原稿をコピーするのを防止できる。また、本発明に係る画像処理装置をスキャナに備えれば、間違って同じ原稿をスキャンするのを防止できる。
【０００９】
本発明の他の態様に係る画像処理装置によれば、本の見開きを読み取る際に、最初に読み取るべき頁に付された頁番号を入力させかつその頁が本の見開きのいずれの側か指示させ、これらを基にしてスタートキーが操作される毎に見開きの両方の頁番号を次に読み取るべき見開きの両方の頁番号に更新し、更新した両方の頁番号を表示する。よって、間違って同じ見開きが読み取られるのを防止することができる。したがって、本発明の他の態様をコピー機に備えれば間違って同じ見開きをコピーするのを防止できるし、スキャナに備えれば間違って同じ見開きをスキャンするのを防止できる。
【００１０】
また、本発明の他の態様は、見開きの片方の頁番号でなく、両方の頁番号が表示されるので、見開きをコピーしたりスキャンしたりするのに便利である。
【発明を実施するための最良の形態】
【００１１】
本発明の実施形態について図面を用いて説明する。図１は、本実施形態に係るデジタル複合機１の構成を示すブロック図である。デジタル複合機１は、コピー、プリンタ、スキャナ及びファクシミリの機能を有する。
【００１２】
デジタル複合機１は、制御部３、画像読取部５、画像記録部７、表示部９、操作部１１、モデム１３、ＮＣＵ１５、ＲＯＭ１７、ＲＡＭ１９、画像メモリ２１、コーデック２３、ＬＡＮインターフェース２５等が相互にバス２７で接続された構成を有する。制御部３は、例えばＣＰＵにより実現されており、デジタル複合機１を構成する上記ハードウェアを制御すると共にデジタル複合機１の動作に必要なソフトウェアを実行する。
【００１３】
画像読取部５は、ＣＣＤ等によって画像（文字、図、写真等）を読み取って画像データとして出力する。画像記録部７は、電子写真方式等のプリンタであり、画像読取部５から出力された画像データやファクシミリ通信により受信した別のファクシミリ装置からの画像データを画像に戻し、この画像が記録された用紙を出力する。
【００１４】
表示部９は、デジタル複合機１の動作状態、相手先名、各種設定内容等を表示する。表示部９は、ＬＣＤ、ＣＲＴ等で実現される。操作部１１は、デジタル複合機１の操作に必要なキー（テンキー、短縮キー、ワンタッチキー、スタートキー、リセットキー、各種のファンクションキー等）を備える。
【００１５】
モデム１３は、通常のファクシミリ通信用のファックスモデムの機能を有する。また、モデム１３は、ＮＣＵ１５と直接に接続されている。ＮＣＵ１５は、公衆電話回線Ｌを閉結及び開放する機能の他に、通信相手の電話番号に応じたダイヤルパルスを送出する機能及び着信を検出する機能を有する。また、ＮＣＵ１５は、モデム１３を必要に応じて公衆電話回線Ｌに接続する。
【００１６】
ＲＯＭ１７は、デジタル複合機１の動作に必要なソフトウェアを記憶している。ＲＡＭ１９は、ＳＲＡＭ、ＤＲＡＭ、フラッシュメモリ等により実現されており、ソフトウェアの実行時に発生するデータを一時的に記憶する。
【００１７】
画像メモリ２１は、ＤＲＡＭ等で実現されており、送信すべき画像データ、受信した画像データ、画像読取部５から出力された画像データ等を一時的に記憶する。コーデック２３は、画像データを符号化圧縮すると共に符号化圧縮されている画像データを復号する。ＬＡＮインターフェース２５は、デジタル複合機１がＬＡＮと通信可能に接続するインターフェースである。
【００１８】
本実施形態に係る画像処理装置は、デジタル複合機１に組み込まれている。本実施形態の一つの特徴は、本の頁をコピーやスキャンする際に、次にコピーやスキャンする頁の頁番号を表示するようにしたことである。この特徴について、コピーを例にして図１及び図２を用いて説明する。図２は、本実施形態に係る画像処理装置を用いたコピー操作の一例のフローチャートである。
【００１９】
本と同じサイズの用紙に本の頁をコピーする場合（例えば、Ａ４用紙にＡ４サイズの本の頁をコピーする場合）について説明する。本は、頁番号が通して付された複数枚の原稿の一例である。頁が原稿に対応している。
【００２０】
操作者は、操作部１１のテンキーを押して本のコピー開始頁の頁番号、つまり、最初に読み取るべき原稿に付された頁番号を入力する（ステップＳ１）。例えば、第６頁からコピーを開始するのなら、「６」を入力する。入力された頁番号をコピーする頁の頁番号ｎにする（ステップＳ３）。ここでは、頁番号ｎは「６」となる。ステップＳ３の処理は、制御部３、ＲＡＭ１９等により実行される。
【００２１】
操作者は、操作部１１のテンキーを押してステップ頁数ｄを入力する（ステップＳ５）。本と同じサイズの用紙に本の頁をコピーする場合、ステップ頁数ｄは「１」である。一方、本の見開きと同じサイズの用紙に本の見開きをコピーする場合、ステップ頁数ｄは「２」である。ここでは、ステップ頁数ｄは「１」である。
【００２２】
表示部９には、コピーする頁の頁番号ｎが表示される（ステップＳ７）。ここでは、コピー開始頁の頁番号「６」が表示される。操作者は、コピーする頁を原稿台（ガラス面）にセットする（ステップＳ９）。ここでは、第６頁をセットする。
【００２３】
次に、操作者は操作部１１のスタートキーを操作する（ステップＳ１１）。これにより、コピーする頁である第６頁の画像がコピーされる（ステップＳ１３）。つまり、画像読取部５は、原稿台にセットされた原稿を読み取ってその原稿の画像データを生成し、画像記録部７は、この画像データを画像に戻して、用紙に記録して出力する。
【００２４】
頁番号を次に読み取るべき頁の頁番号に更新する処理であるｎ←ｎ＋ｄが実行される（ステップＳ１５）。ここでは、７←６＋１の処理が実行され、これは次にコピーする頁の頁番号が「７」を意味する。
【００２５】
表示部９には、次にコピーする頁の頁番号ｎが表示される（ステップＳ１７）。ここでは、頁番号「７」が表示される。操作者が第７頁をコピーする場合（ステップＳ１９）、ステップＳ９に戻り、第７頁を原稿台にセットする。以降、同様の処理が繰り返される。すなわち、スタートキーが操作される毎に頁番号が次に読み取るべき頁の頁番号に更新され、更新された頁番号が表示部９に表示される。
【００２６】
一方、操作者がステップＳ１９でＮｏと判断した場合、操作者は別の頁をコピーするか判断する（ステップＳ２１）。つまり、コピーを失敗した場合やコピーする頁を飛ばす場合（例えば第２０頁までコピーした後、第３０頁からコピーを再開する場合）に、別の頁をコピーすると判断する。そして、操作者は操作部１１のテンキーでコピーする別の頁の頁番号ｎを入力し（ステップＳ２３）、ステップＳ７に戻る。ステップＳ２１で操作者がコピーする別の頁がないと判断すると、待機状態になる。
【００２７】
以上のように、本実施形態によれば、本の頁を通し番号順（例えば第６頁から第３０頁）にコピーする際に、コピー開始頁の頁番号を入力させ、これを基にしてスタートキーが操作される毎に頁番号を次に読み取るべき頁の頁番号に更新し、更新した頁番号を表示する。この表示により、操作者は次にコピーすべき頁を認識できるので、間違って同じ頁がコピーされるのを防止することができる。なお、本実施形態をスキャナに適用した場合は、間違って同じ頁がスキャンされるのを防止することができる。
【００２８】
次に、本の見開きと同じサイズの用紙に本の見開きをコピーする場合（例えば、Ａ４用紙にＡ５サイズの本の見開きをコピーする場合）について、図３及び図４を用いて説明する。これを説明するためのフローチャートが図３である。図４は、表示部９の表示状態を示す図である。
【００２９】
図４（ａ）に示すように、初期状態の表示部９には、「コピー開始頁の頁番号を入力して下さい」と表示されている。操作者は、ステップＳ１と同様にして、本のコピー開始頁の頁番号を入力する（ステップＴ１）。例えば、「６」を入力すると表示部９の表示状態は図４（ｂ）に示すようになる。
【００３０】
ステップＳ３と同様に、入力された頁番号をコピーする頁の頁番号ｎにする（ステップＴ３）。ここでは、頁番号ｎは「６」となる。ステップＳ５と同様にして、ステップ頁数ｄを入力する。ここでは、ステップ頁数ｄは「２」である（ステップＴ５）。
【００３１】
なお、ステップ頁数ｄを入力する替わりに、見開きをコピーするか問う画像を表示部９に表示させて、操作者に指示させてもよい。これによれば、操作者が見開きのコピーを指示することにより、ステップ頁数ｄが自動的に「２」に設定される。
【００３２】
図４（ｃ）に示すように、表示部９にはコピー開始頁（最初に読み取るべき頁）である第６頁が、本の見開きのいずれの側にあるか操作者に指示を促す画像が表示される。表示部９に表示された左の画像ＩＭ１は、第６頁が見開きの右側にあることを示している。右の画像ＩＭ２は、第６頁が見開きの左側にあることを示している。網かけの入っている画像が選択された画像である。
【００３３】
操作者は、操作部１１のカーソルキーで画像ＩＭ１又は画像ＩＭ２を選択して、決定キーを押すことにより指示する（ステップＴ７）。ここでは、左の画像ＩＭ１を指示している。コピーする頁の頁番号ｎが表示部９に表示される（ステップＴ９）。ここでは、図４（ｄ）に示すように、第６頁がある見開き、つまり第５頁と第６頁の見開きのコピーを促す画像が表示される。その後、ステップＴ１１，Ｔ１３，Ｔ１５の処理が実行される。これらの処理はステップＳ９，Ｓ１１，Ｓ１３と同様である。
【００３４】
次に、見開きの両方の頁番号を次に読み取るべき見開きの両方の頁番号に更新する処理が実行される（ステップＴ１７，Ｔ１９，Ｔ２１，Ｔ２５）。これについて詳細に説明する。まず、ｎ←ｎ＋２の処理が実行される（ステップＴ１７）。ここでは、８←６＋２の処理が実行される。
【００３５】
コピー開始頁が見開きのいずれ側かにより処理が異なるので、いずれの側かの判断がなされる。ここでは、コピー開始頁が見開きの右側か判断されるようにしているが（ステップＴ１９）、逆でもよい。ステップＴ７でコピー開始頁である第６頁が見開きの右側と指示されている（図４（ｃ））。したがって、ｎとｎをデクリメントしたｎ−１が、次ぎにコピーする見開きの両方の頁番号とされる(ステップＴ２１)。つまり、第７頁と第８頁が次にコピーされる見開きである。よって、図４（ｅ）に示すように、第７頁と第８頁のコピーを促す画像が表示部９に表示される（ステップＴ２３）。
【００３６】
一方、ステップＴ７でコピー開始頁である第６頁が見開きの左側（図４（ｃ）の画像ＩＭ２）と指示されている場合、ステップＴ１９でＮｏと判断されてステップＴ２５へ進む。ここでは、ｎとｎをインクリメントしたｎ＋１が、次ぎにコピーする見開きの両方の頁番号とされる。つまり、第８頁と第９頁が次にコピーされる見開きである。図示しないが第８頁と第９頁のコピーを促す画像が表示部９に表示される（ステップＴ２７）。
【００３７】
ステップＴ２３（Ｔ２７）で表示された頁番号の頁をコピーする場合（ステップＴ２９）、ステップＴ１１に戻る。以降、同様の処理が繰り返される。すなわち、スタートキーが操作される毎に見開きの両方の頁番号が次に読み取るべき見開きの両方の頁番号に更新され、更新された頁番号が表示部９に表示される。なお、図２のステップＳ２１，Ｓ２３に示す処理を追加することも当然可能である。
【００３８】
以上のように図３及び図４で説明した本実施形態によれば、図２で説明した本実施形態と同様の理由で間違って同じ見開きがコピーされるのを防止できる。さらに図３及び図４で説明した本実施形態によれば、本の見開きの片方の頁番号でなく、両方の頁番号が表示されるので、本の頁を通し番号順にコピーしていることを操作者に認識させることができ、本の見開きをコピーする場合に便利である。
【００３９】
本実施形態では、頁番号が通して付されている複数枚の原稿の一例として本を挙げている。ここで言う本には、書籍の他に冊子（書いたものや印刷したものを綴じたもの）も含まれる。頁番号が通して付されている複数枚の原稿は綴じられていない原稿でもよいが、本のような綴じられたものは原稿自動送り装置が使用できないので、綴じられたものに対して本実施形態は特に有効である。
【００４０】
次に、本実施形態に係る画像処理装置の機能ブロックを説明する。図５はこれを説明する図である。画像処理装置３１の操作手段３３は、スタートキー及びテンキーを含む。その機能は、図１の操作部１１により実現される。更新手段３５は、テンキーにより入力された最初に読み取るべき原稿に付された頁番号を基にして、スタートキーが操作される毎に頁番号を次に読み取るべき原稿の頁番号に更新する。その機能は、制御部３、ＲＯＭ１７、ＲＡＭ１９により実現される。
【００４１】
画像読取手段３７は、スタートキーが操作される毎に原稿台にセットされた原稿を読み取ってその原稿の画像データを生成する。その機能は、画像読取部５により実現される。表示手段３９は、更新手段３５で更新された頁番号を表示する。その機能は、表示部９により実現される。
【００４２】
なお、本の見開きの画像を処理する場合、更新手段３５は、テンキーにより入力された最初に読み取るべき頁に付された頁番号及びその頁が本の見開きのいずれの側か操作手段３３を用いた指示を基にして、スタートキーが操作される毎に見開きの両方の頁番号を次に読み取るべき見開きの両方の頁番号に更新する。画像読取手段３７は、スタートキーが操作される毎に原稿台にセットされた見開きを読み取ってその見開きの画像データを生成する。表示手段３９は、更新手段３５で更新された両方の頁番号を表示する。
【図面の簡単な説明】
【００４３】
【図１】本実施形態に係るデジタル複合機の構成を示すブロック図である。
【図２】本実施形態に係る画像処理装置を用いたコピー操作の一例のフローチャートである。
【図３】本実施形態に係る画像処理装置を用いたコピー操作の他の例のフローチャートである。
【図４】上記コピー操作の他の例において、表示部の表示状態を示す図である。
【図５】本実施形態に係る画像処理装置の機能ブロック図である。
【符号の説明】
【００４４】
１・・・デジタル複合機、３・・・制御部、５・・・画像読取部、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・バス、３１・・・画像処理装置、３３・・・操作手段、３５・・・更新手段、３７・・・画像読取手段、３９・・・表示手段、Ｌ・・・公衆電話回線、ＩＭ１，ＩＭ２・・・画像
【図１】
2007088742.tif 000003
【図２】
2007088742.tif 000004
【図３】
2007088742.tif 000005
【図４】
2007088742.tif 000006
【図５】
2007088742.tif 000007